(57)【要約】【課題】構成を簡略化して施工コストを低減することができる移動足場用レール構造及び移動足場を提供すること。【解決手段】移動足場の走行を案内する移動足場用レール構造であって、棒状体が連結されたガイドレール２０と、移動足場１とガイドレール２０とを連結する連結部１０と、連結部に回転自在に支持されガイドレールを側方から挟持する一対のローラ１１と、を備えることを特徴とする、移動足場用レール構造である。【選択図】図１
2020180430.tif 000002
【特許請求の範囲】
【請求項１】
移動足場の走行を案内する移動足場用レール構造であって、
棒状体が連結されたガイドレールと、
前記移動足場と前記ガイドレールとを連結する連結部と、
前記連結部に回転自在に支持され前記ガイドレールを側方から挟持する一対のローラと、を備えることを特徴とする、
移動足場用レール構造。
【請求項２】
前記連結部は、前記ガイドレールを下方から支持するよう形成された支持部材を備えることを特徴とする、
請求項１に記載の移動足場用レール構造。
【請求項３】
請求項１または２に記載の移動足場用レール構造を本体部に備える、
移動足場。
【請求項４】
前記連結部は、前記本体部と前記ガイドレールとの間を所定距離離間させて前記本体部の走行を案内すると共に、前記本体部の前記ガイドレールの側方向に対する移動を拘束する、
請求項３に記載の移動足場。
【発明の詳細な説明】
【技術分野】
【０００１】
本発明は、移動自在な足場に用いられる移動足場用レール構造及び移動足場に関する。
【背景技術】
【０００２】
建設現場では、脚部にキャスターが設けられた移動足場が用いられる場合がある。移動足場は、例えば、建物側に連続して設置されたガイドレールに沿って移動足場側に設置されたローラを走行させることで、移動する。ガイドレールを用いた移動足場として特許文献１又は特許文献２に記載された技術が知られている。
【０００３】
特許文献１に記載された移動足場は、建物側に設置され、対向した一対の側壁を備えるガイドレールと、移動足場側に設置され一対の側壁の間を走行するローラと、ローラを回転自在に支持し本体側に固定された支持部とを備えている。特許文献２に記載された移動足場は、パイプで構成されたガイドレールを上下方向から挟持すると共に、パイプの接触面にパイプの断面形状に合わせて窪みが形成された一対のローラを備えている。
【先行技術文献】
【特許文献】
【０００４】
【特許文献１】特開２０００−２３４４３８号公報
【特許文献２】特開２００３−１８４３００号公報
【発明の概要】
【発明が解決しようとする課題】
【０００５】
特許文献１に記載された移動足場は、ローラが走行するガイドレールやローラを専用に設ける必要があり、施工コストが上昇する。また、特許文献２に記載された移動足場は、パイプで構成されたガイドレールを挟持するための専用のローラやローラを支持するために専用の部材を設ける必要があり、構成が複雑化し、施工コストが上昇する。
【０００６】
本発明は、上述した課題に鑑みてなされたものであり、構成を簡略化して施工コストを低減することができる移動足場用レール構造及び移動足場を提供することを目的とする。
【課題を解決するための手段】
【０００７】
上記の目的を達するために、本発明は、移動足場の走行を案内する移動足場用レール構造であって、棒状体が連結されたガイドレールと、前記移動足場と前記ガイドレールとを連結する連結部と、前記連結部に回転自在に支持され前記ガイドレールを側方から挟持する一対のローラと、を備えることを特徴とする、移動足場用レール構造である。
【０００８】
本発明によれば、移動足場が走行する際に一対のローラがガイドレールを側方から挟持しながら回転するため、移動足場をガイドレールに沿って案内することができる。また、本発明によれば、ガイドレールの部材の種類によらずに一対のローラがガイドレールを側方から挟持するため、施工コストが低減される。
【０００９】
また、本発明は、前記連結部は、前記ガイドレールを下方から支持するよう形成された支持部材を備えるように構成されていてもよい。
【００１０】
本発明によれば、支持部材がガイドレールを下方から支持する方向に移動足場が転倒することが防止される。
【００１１】
また、本発明は、上記の移動足場用レール構造を備える、移動足場である。
【００１２】
本発明によれば、移動足場をガイドレールに沿って走行させることができる。
【００１３】
また、本発明は、前記連結部が前記本体部と前記ガイドレールとの間を所定距離離間させて前記本体部の走行を案内すると共に、前記本体部の前記ガイドレールの側方向に対する移動を拘束するように構成されていてもよい。
【００１４】
本発明によれば、連結部が移動足場の本体部とガイドレールとの位置関係を保持するため、移動足場を安定して走行させることができる。
【発明の効果】
【００１５】
本発明によれば、構成を簡略化して施工コストを低減することができる。
【図面の簡単な説明】
【００１６】
【図１】本発明の実施形態に係る移動足場の構成を示す図である。
【図２】移動足場用レール構造の構成を示す斜視図である。
【発明を実施するための形態】
【００１７】
以下、図面を参照しつつ、本発明に係る移動足場の実施形態について説明する。移動足場は、床面から上方に構築された高所作業用の足場である。以下、図示する方向を正面とする。
【００１８】
図１及び図２に示されるように、移動足場１は、作業用の本体部２と、本体部２の移動を案内するガイドレール２０と、本体部２とガイドレール２０を連結する連結部１０とを備える。ガイドレール２０と連結部１０とにより移動足場用レール構造が構成される。
【００１９】
本体部２は、パイプ部材で組み立てられた枠体である。本体部２は、床面Ｅから立脚し足場板５を支持する複数の脚部３を備える。本体部２は、正面視して一対の脚部３が図示されているが、紙面の奥方向に同じように一対の脚部３が複数個設けられている。脚部３の下端部には、本体部２を移動させるキャスター４が取り付けられている。本体部２の片側には、建物側のＨ鋼Ｈが固定されている。
【００２０】
Ｈ鋼Ｈには、レール固定部４０を介してガイドレール２０が固定されている。レール固定部４０は、例えば、固定クランプ４２で一端側がＨ鋼Ｈに固定されたパイプ材４１を備える。パイプ材４１の他端側は、本体部２側に突出している。パイプ材４１の他端側には、パイプ用の固定クランプ４３を介してガイドレール２０が垂下して取り付けられている。
【００２１】
ガイドレール２０は、例えば、上下２列に平行に並置された所定の長さの２本のパイプ２１，２２の間が連結部材２３で連結されたパイプトラスである。ガイドレール２０は、複数のパイプトラスが直列に連結されている。このような構成によりガイドレール２０は、上側のパイプ２１がレール固定部４０との連結に用いられ、下側のパイプ２２が本体部２の移動を案内するレールとして用いられる。パイプ２２は、本体部２との間に配置された連結部１０により本体部２と連結されている。
【００２２】
連結部１０は、脚部３に片持ちで支持されたアングル部材１３（支持部材）と、アングル部材１３に回転自在に支持された一対のローラ１１を備える。アングル部材１３は、断面がＬ形状に形成された支持部材である。アングル部材１３は、帯状に形成された水平板１４と、水平板１４の一辺から下方に垂下した帯状に形成された鉛直板１５とを備える。アングル部材１３の一端側は、脚部３に固定クランプ１７により固定されている。
【００２３】
アングル部材１３の一端側には、他のアングル部材１６が断面を逆向きとするように溶接されていてもよい。他のアングル部材１６は、固定クランプ１７を用いて脚部３に固定するために固定されている。アングル部材１３の他端側は、パイプ２２を移動自在に下側から支持している。これにより、本体部２がＨ鋼Ｈと反対側に転倒することが防止される。
【００２４】
本体部２がＨ鋼Ｈ側に転倒しそうな場合は、本体部２がＨ鋼Ｈに支えられ、元の姿勢に戻る。アングル部材１３の他端側において、水平板１４にはパイプ２２の両側を挟持する一対のローラ１１が設けられている。ローラ１１は、円筒形に形成された部材である。ローラ１１は、シャフト１２により回転自在に軸支されている。
【００２５】
ローラ１１は、例えば、円筒状の樹脂材料により形成されている。ローラ１１は、例えば、樹脂製のパイプから切り出されて形成されている。ローラ１１の貫通孔（不図示）には、シャフト１２が挿通されている。シャフト１２は、水平板１４に対して鉛直方向に固定されている。シャフト１２は、例えば、ボルトが用いられる。シャフト１２は、ローラ１１の回転部に段差が形成された段付きボルトが用いられてもよい。シャフト１２の先端部は、ナットＮで水平板１４に固定されている。パイプ２２の下端と水平板１４の上面との間は離間していてもよいし、接触した状態で本体部２の相対的に摺動してもよい。
【００２６】
上記構成により、本体部２が移動する際、キャスター４が床面Ｅを走行する。このとき、一対のローラ１１がパイプ２２の側方を挟持しながら回転する。これにより、本体部２は、連結部１０によりガイドレール２０に案内されてＨ鋼Ｈと本体部２との間を所定距離離間させる状態でガイドレール２０の側方向への移動が拘束されながらガイドレール２０に沿って移動するので走行が安定する。
【００２７】
上述した移動足場１において、連結部１０やレール固定部４０は、Ｌ断面のアングル部材やパイプ材を用いているため、材料が入手しやすく汎用性があり、現場で簡単に構築できる。また、ガイドレール２０にリース材を用いれば材料コストを低減することができる。このように、移動足場１によれば、構成が簡略化されると共に、施工コストが低減される。
【００２８】
以上、本発明の一実施形態について説明したが、本発明は上記の一実施形態に限定されるものではなく、その趣旨を逸脱しない範囲で適宜変更可能である。例えば、連結部１０やレール固定部４０は、固定クランプで固定されるだけでなく、溶接で固定されてもよい。また、移動足場１の連結部１０やレール固定部４０は、現場で入手しやすい他の材料が用いられて構築されてもよい。また、ガイドレールは、パイプだけでなく、Ｈ鋼等の他の棒状体の材料が用いられて形成されてもよい。
【符号の説明】
【００２９】
１  移動足場
２  本体部
３  脚部
４  キャスター
５  足場板
１０  連結部
１１  ローラ
１２  シャフト
１３  アングル部材（支持部材）
１４  水平板
１５  鉛直板
１６  アングル部材
１７  固定クランプ
２０  ガイドレール
２１、２２  パイプ
２３  連結部材
４０  レール固定部
４１  パイプ材
４２、４３  固定クランプ
【図１】
2020180430.tif 000003
【図２】
2020180430.tif 000004